(57)【特許請求の範囲】
【請求項１】
一対の縦割り筒状部の各々の凸面からなる一対の凸面を備え、前記一対の凸面の各々の一方の側部どうしの間で谷部を形成した翼状部、及び該翼状部の外周縁部を囲むように設けられ錐形状に延びるコーン部を備える振動体と、
該振動体の前記谷部の深さ方向に沿う振動と該振動に対応する電気信号との変換を行う変換部と、
前記振動体における前記コーン部の外周縁部を前記振動の方向に沿って振動可能に支持する支持部と、
を備える電気音響変換器。
【請求項２】
前記翼状部は、前記コーン部の小径側端部と大径側端部との間に配置され、
前記変換部は、前記小径側端部の側に設けられている請求項１記載の電気音響変換器。
【請求項３】
前記翼状部は前記コーン部の表面に貼付されている請求項２記載の電気音響変換器。
【請求項４】
前記コーン部に、該コーン部と前記翼状部との間の空間に開口する貫通孔が形成されている請求項３記載の電気音響変換器。
【請求項５】
前記コーン部に、前記翼状部における前記谷部の両端部を配置させる切欠部が形成されている請求項２又は３記載の電気音響変換器。
【請求項６】
前記翼状部と前記コーン部とは、前記翼状部の前記外周縁部と前記コーン部の内周縁とが連続した状態に一体成形されている請求項１記載の電気音響変換器。
【請求項７】
各々が凸状部の表面である一対の凸面を備え、各々の一方の端部どうしが各々の他方の端部どうしよりも近接して配置されて前記一対の凸面の間に谷部を形成する翼状部及び、前記翼状部の外周縁部を囲むように設けられ、錐形状に延びるコーン部を備える振動体と、
前記振動体の前記谷部の深さ方向に沿う振動と前記振動に対応する電気信号との間の変換を行う変換部と、
前記振動体及び前記変換部を支持する支持体と、
一端が前記コーン部の外周縁部に固定されるとともに他端が前記支持体に固定され、前記コーン部の前記外周縁部を前記振動の方向に沿って振動可能に支持するエッジ部と、
を備える電気音響変換器。
【発明の詳細な説明】
【技術分野】
【０００１】
本発明は、凸面を振動させて音を再生するスピーカ又は音を収集するマイクロホンに好適な電気音響機器に関する。
【背景技術】
【０００２】
一般的なダイナミックスピーカは、振動板をボイスコイルモータで往復駆動するピストンモーションにより音を発するスピーカであり、低い周波数ではほぼ点音源として機能し、広い指向特性を有するが、振動板の口径と再生音の半波長がほぼ同等になる周波数以上の帯域では、指向性が鋭くなる。このため、高音域の再生には、小口径の振動板を使用した小型のスピーカが用いられる。  また、ダイナミックスピーカの動作原理と逆の動作原理を有するダイナミックマイクロホンでも、上記と同様のことが言える。即ち、広い指向性で高音域を収集するには、小口径の振動板を使用した小型のマイクロホンが用いられる。
【０００３】
これに対してリッフェル型スピーカは、一対の長方形の湾曲板により振動板が構成され、中高音域での指向性が広く、また、振動板の湾曲方向に沿う横方向に音が広がり、縦方向にはほとんど広がらないという特性を有するため、ラインアレイスピーカとして縦方向に連続させることにより、理想的な音空間を提供することができると考えられる。
【０００４】
このようなリッフェル型スピーカとして、従来、例えば特許文献１又は特許文献２に開示されたものがある。
特許文献１には、高分子樹脂フィルムの中央部分にボイスコイルとしての導電体パターンをプリント形成し、その中央部分を折り返し加工して接着することによって、導電体パターンを有する平板状の部分と、湾曲形状の第１，第２の振動部とを一体化して備える振動板が形成されており、この振動板の平板状の部分は磁気回路内の磁気ギャップ内に配置され、両振動部の先端は支持部材に固定された構造のスピーカが開示されている。
特許文献２には、振動板中央部が凹部を形成した状態で折り返され、その凹部内に、長円の環状に巻回された偏平なボイスコイルが配置され、そのボイスコイルを上下に離間した二つの磁気ギャップ内に配置した構造のスピーカが開示されている。このスピーカにおいても、振動板の外周部は、環状のフレーム上に固定されている。
【先行技術文献】
【特許文献】
【０００５】
【特許文献１】特開２００２−７８０７９号公報
【特許文献２】特開２００７−１７４２３３号公報
【発明の概要】
【発明が解決しようとする課題】
【０００６】
しかしながら、この種のリッフェル型スピーカは、低音域での再生には適さないため、可聴帯域の全域を再生するためには、別途、低音域用のスピーカ（ウーハー）を用いたマルチスピーカシステムとする必要がある。
【０００７】
本発明は、このような事情に鑑みてなされたもので、１本のユニットで低音域から高音域までの広い周波数の帯域に亘って広い指向性を有する安価な電気音響変換器を提供することを目的とする。
【課題を解決するための手段】
【０００８】
本発明の電気音響変換器は、一対の縦割り筒状部の各々の凸面からなる一対の凸面を備え、前記一対の凸面の各々の一方の側部どうしの間で谷部を形成した翼状部、及び該翼状部の外周縁部を囲むように設けられ錐形状に延びるコーン部を備える振動体と、該振動体の前記谷部の深さ方向に沿う振動と該振動に対応する電気信号との変換を行う変換部と、前記振動体における前記コーン部の外周縁部を前記振動の方向に沿って振動可能に支持する支持部と、を備える。
【０００９】
この電気音響変換器は、一対の縦割り筒状部の各々の凸面が振動面となるので、本発明をスピーカに適用する場合、リッフェル型スピーカと同様に中高音域で広い指向性を有しており、しかも、変換部により振動させられる振動体は、その全体がピストンモーションするので、ダイナミックスピーカと同様に低音域においても高い音圧を有する。したがって、１本のスピーカユニットにより低音域から中高音域までの可聴帯域の全域で広い指向性で再生可能なフルレンジスピーカユニットを実現することができる。
この場合、振動体が縦割り筒状面の翼状部のみで形成される場合は、その外周縁が複雑な形状となるため、支持部の構造も複雑になるが、一対の縦割り筒状部の各々の凸面から錐形状に延在するコーン部を介在させることにより、支持部に円形リング状又は楕円形リング状等の単純形状のものを用いることができ、安価に製造することが可能になる。
本発明をマイクロホンに適用する場合も、一対の縦割り筒状部の各々の凸面が振動面であり、その振動体の全体が一様に振動することにより、感度を維持しながら指向性が良好となり、低音域から高音域まで広い周波数帯域に亘って広い指向性で収音することができる。
【００１０】
本発明の電気音響変換器において、前記翼状部は、前記コーン部の小径側端部と大径側端部との間に配置され、前記変換部は、前記小径側端部の側に設けられているものとしてもよい。
コーン部を翼状部の外周部だけでなく、コーン部の小径側端部と大径側端部との間に翼状部が配置されるように設けたことにより、支持部及び変換部の両方に通常のダイナミックスピーカ等と同様の構成のものを用いることが容易になり、より安価に製造することが可能である。
【００１１】
また、本発明の電気音響変換器において、前記翼状部は前記コーン部の表面に貼付されているとよい。
翼状部以外は通常のダイナミックスピーカ等に用いられる部品を適用することができ、そのコーン部に翼状部を貼付した単純構造であり、さらに安価に製造することができる。
【００１２】
この場合、前記コーン部に、該コーン部と前記翼状部との間の空間に開口する貫通孔が形成されているとよい。
コーン部と翼状部との間の空間が密閉されていると空洞共鳴の原因となるおそれがあり、また、振動板が２枚重なって存在することになるため、それぞれから放射される音が干渉して特性の乱れを生じるおそれがある。そこで、２重構造となっている部分のコーン部に貫通孔を形成することにより、コーン部と翼状部との間の空間を開放状態として空洞共鳴を防止するとともに、コーン部の面積を貫通孔により小さくして、振動板としての機能を低下させて干渉を抑えるようにしたものである。貫通孔は、コーン部が翼状部を支持し得る程度の強度を有する範囲内で１個又は複数個形成することができる。
【００１３】
また、本発明の電気音響変換器において、前記コーン部に、前記翼状部における前記谷部の両端部を配置させる切欠部が形成されていてもよい。
翼状部の両先端部（側部）はコーン部の大径側に配置され、翼状部の谷部はコーン部の小径側に配置される。このため、単に円錐面状又は楕円錐面状のコーン部であると、翼状部の谷部の長さを小さくしないと配置できないが、コーン部の小径側部分に切欠部を形成して、その切欠部内に谷部の両端部を配置したことにより、谷部の長さを大きくすることができ、縦割り筒状部の凸面としての放射面を広く確保することができる。
【００１４】
本発明の電気音響変換器において、前記翼状部と前記コーン部とは、前記翼状部の前記外周縁部と前記コーン部の内周縁とが連続した状態に一体成形されているとよい。
例えば、樹脂フィルムの真空成形等により、翼状部とコーン部とを一体に形成することができ、安定した品質のスピーカ又はマイクロホンを容易に製造することができる。
【００１５】
さらに、本発明の電気音響変換器は、各々が凸状部の表面である一対の凸面を備え、各々の一方の端部どうしが各々の他方の端部どうしよりも近接して配置されて前記一対の凸面の間に谷部を形成する翼状部及び、前記翼状部の外周縁部を囲むように設けられ、錐形状に延びるコーン部を備える振動体と、前記振動体の前記谷部の深さ方向に沿う振動と前記振動に対応する電気信号との間の変換を行う変換部と、前記振動体及び前記変換部を支持する支持体と、一端が前記コーン部の外周縁部に固定されるとともに他端が前記支持体に固定され、前記コーン部の前記外周縁部を前記振動の方向に沿って振動可能に支持するエッジ部と、を備える。
【発明の効果】
【００１６】
本発明の電気音響変換器をスピーカに適用した場合、このスピーカは、低音域においてはピストンモーションにより高い音圧を有し、中低音域においては縦割り筒状部の凸面からの再生音の放射により広い指向性を有しており、１本のスピーカユニットにより低音域から中高音域までの広い範囲で広い指向性を有するフルレンジスピーカユニットを実現することができる。しかも、通常のダイナミックスピーカの部品を適用することが可能で、安価に製造することができる。また、本発明の電気音響変換器をマイクロホンに適用した場合も、このマイクロホンは、低音域から高音域まで広い周波数帯域に亘って広い指向性で収音することができる。
【図面の簡単な説明】
【００１７】
【図１】本発明の第１実施形態のスピーカを示す分解斜視図である。
【図２】図１のスピーカの組立状態を示す斜視図である。
【図３】図２のスピーカの上面図である。
【図４】図３のＡ−Ａ線に沿う矢視断面図である。
【図５】図２の半分を断面にした斜視図である。
【図６】図１のスピーカに用いられている振動体の斜視図である。
【図７】図６の振動体の上面図である。
【図８】図７のＢ−Ｂ線に沿う矢視断面図である。
【図９】本発明の第２実施形態における振動体の分解斜視図である。
【図１０】図９の振動体の組立状態を示す斜視図である。
【図１１】図１０の振動体の上面図である。
【図１２】図１１のＣ−Ｃ線に沿う矢視断面図である。
【図１３】本発明の第３実施形態における振動体の分解斜視図である。
【図１４】本発明の第４実施形態における振動体の分解斜視図である。
【図１５】図１４の振動体の組立状態を示す斜視図である。
【図１６】本発明の第５実施形態のスピーカを示す図４同様の断面図である。
【図１７】図１６のスピーカの半分を断面にした斜視図である。
【発明を実施するための形態】
【００１８】
今回発明者らがリッフェル型スピーカの動作原理の解析を行うにあたり、その指向性の広さが、高域での振動領域が線音源に集中することに起因するのではなく、振動板の形状そのものに依るものであることを見出した。そこで、この形状の振動板を保持したまま、ピストンモーションさせれば高域の指向性を保ったまま、低域までの再生が可能なスピーカユニットが実現可能であることに到達した。また、そのようなスピーカユニットを構成する場合に、通常のダイナミックスピーカ等の部品を適用できれば安価に製作できるとの知見を得た。
【００１９】
以下、本発明の電気音響機器をスピーカに適用した実施形態について図面を参照して説明する。
図１〜図８は、本発明の第１実施形態のスピーカ（電気音響機器の一例）を示す。
この実施形態のスピーカは、振動体１と、この振動体１を往復駆動するアクチュエータ（変換部の一例）２と、これら振動体１及びアクチュエータ２を支持するための支持枠３と、振動体１を支持枠３に往復移動自在に支持するエッジ部４とを備えている。
なお、図２において、エッジ部４が設けられている側を上、アクチュエータ２が設けられている側を下とするように上下方向を設定し、後述する振動体１の谷部の延在方向を縦方向、これと直交する方向を横方向とする。また、上方を向く面を表面、下方を向く面を裏面とし、さらに、図示したように、縦方向をｘ方向、横方向をｙ方向、上下方向をｚ方向と称する場合もあるものとする。
【００２０】
振動体１は、図６〜図７に拡大して示したように、一対の縦割り筒状部（凸状部）の凸面５が並列に形成されるとともに、隣接する凸面５の一方の側部どうしの間（又は一対の縦割り筒状部の凸面５どうしの間）で谷部６を形成した表面形状を有する翼状部７と、この翼状部７の外周縁部を囲むように円錐面状に延びるコーン部８とを備えている。なお、一対の縦割り筒状部は、筒形状の部材を、縦方向（筒部の軸方向）に分割して得られる複数の部材のうちの２つの部材によって構成されるものである。
図示例の翼状部７は、各々が凸面５を有する一対の縦割り筒状部としての一対の湾曲板１１により構成されており、両湾曲板１１の谷部６を形成している側部どうしが接合された状態とされている。コーン部８は、両湾曲板１１の接合部１３とは反対側の側部（端部）から延びるとともに、両湾曲板１１の谷部６の縦方向の両端を閉塞しており、全体として円錐面状に形成されている。
つまり、この振動体１は、図４及び図８に断面を示したように、湾曲板１１の接合部１３を下側に配置すると、この接合部１３から高さ方向の大部分が翼状部７とされ、この翼状部７の上端部及び谷部６の両端部にコーン部８が円錐面の一部をなすように配置された形状とされる。
また、一対の湾曲板１１によって形成される一対の凸面５は、互いに向き合って配置されている。言い換えれば、一対の湾曲板１１は、一対の湾曲板１１の一方の湾曲板の凸面５と他方の湾曲板の凹面が互いに向き合うように配置されておらず、また、一対の湾曲板１１の一対の凹面どうしが互いに向き合うように配置されていない。一対の凸面５の各々の一端部どうしが、一対の凸面５の他端部どうしよりも互いに近接して配置されるか、または、一対の凸面５の各々の他端部どうしが離間して配置され、一端部どうしが互いに接触して配置されることにより、一対の凸面５の間に一端部近傍を底部とする谷部６が形成される。
【００２１】
また、湾曲板１１の凸面５は、必ずしも単一円弧面でなくてもよく、複数の曲率を連続させたもの、凸面５の周方向（横方向）に沿う断面が放物線形状やスプライン曲線など曲率が一定ないし連続的に変化するもの、角筒状面としたもの、階段状に複数の段差部を有する形状としたものなどを採用することができる。また本実施形態の凸面５は、一方向（凸面５の周方向：横方向）に湾曲し、その一方向と直交する方向（凸面５の縦方向であり、縦割り筒状部の筒部の軸方向）へは直線状となっているが、凸面５は、縦方向に沿う断面の曲率が横方向に沿う断面の曲率（一定の曲率又は連続的に変化する複数の曲率）よりも小さい曲面（凸面）であっても良い。そして、一対の湾曲板１１が、その凸となる方向を同じ表面側に向けて並列に配置されるとともに、隣接する側部どうしが、接線方向をほぼ平行にした状態で接合されている。図８に示すように、その接合部１３では、両湾曲板１１がわずかに間隔をあけて接合されており、したがって、その接合部１３における接線Ｌ１，Ｌ２が平行に配置される。そして、この接合部１３に沿って、両湾曲板１１の間に、凸面５の縦方向に沿う直線状に谷部６が形成されている。
したがって、振動体１の下端部において、図６及び図７に示すように、翼状部７の接合部１３がコーン部８の直径方向に沿う直線状に配置される。
また、均一な再生音を得るために、両湾曲板１１を、その断面が接合部１３の接線Ｌ１，Ｌ２の間の中心を通る線Ｍに対して線対称になるように形成することが好ましい。ただし、本発明においては、両湾曲板１１の各々の断面は、必ずしも線対称でなくてもよい。
【００２２】
この振動体１は、その材質が限定されるものではなく、スピーカの振動板として一般的に用いられる合成樹脂、紙、金属等の材料を用いることができ、例えば、ポリプロピレン、ポリエステル等の合成樹脂からなるフィルムを真空成形することにより、比較的容易に成形することができる。
この実施形態の振動体１は合成樹脂からなる１枚のフィルムを一体成形しており、その接合部１３は、フィルムの中央部を断面Ｕ字状に折り返すことにより成形して形成されている。
【００２３】
アクチュエータ２は、例えばボイスコイルモータが用いられ、湾曲板１１の接合部１３に設けられたボイスコイル２０と、支持枠３に固定された磁石機構２１とにより構成される。
ボイスコイル２０は、円筒状のボビン２０ａの回りにコイル２０ｂが巻回されたものであり、その直径方向に湾曲板１１の接合部１３が配置されるように、ボイスコイル２０の上端と接合部１３の下縁とが接着剤等を介して固着されている。そして、このボイスコイル２０の外周部がダンパー２２を介して支持枠３に支持されており、ボイスコイル２０は支持枠３に対してボイスコイル２０の軸方向に沿って往復移動自在である。ダンパー２２は一般的なダイナミックスピーカに用いられる材料のものを適用することができる。
磁石機構２１は、環状の磁石２３と、この磁石２３の一方の極に固定されたリング状のアウターヨーク２４と、他方の極に固定されたインナーヨーク２５とを備えており、インナーヨーク２５の中心のポール部２５ａの先端部がアウターヨーク２４内に配置されることにより、これらアウターヨーク２４とインナーヨーク２５との間に、環状に磁気ギャップ２６が形成され、この磁気ギャップ２６内にボイスコイル２０の端部が挿入状態に配置されている。
【００２４】
支持枠３は、例えば金属材により成形され、図示例では、矩形の枠状に形成されたフランジ部３０と、フランジ部３０の下方に延びる複数のアーム部３１と、これらアーム部３１の下端に形成された環状フレーム部３２とを備えている。そして、そのフランジ部３０の内周面は円周面に形成されており、その内側に、接合部１３を下方に向けて振動体１が配置され、振動体１のコーン部８の上端縁がエッジ部４を介してフランジ部３０の上面に支持されている。したがって、エッジ部４は、振動体１のコーン部８に対応して円形リング状に形成される。このエッジ部４も、一般的なダイナミックスピーカに用いられている材料のものを適用することができる。
なお、谷部６の深さ方向における振動体１の変形し難さの度合い（剛性）が、谷部６の深さ方向におけるエッジ部４の変形し難さの度合い（剛性）よりも大きくなるように、振動体1及びエッジ部４が形成される。言い換えれば、振動体１及びエッジ部４は、振動体１が谷部６の深さ方向に振動する際に、振動体１の振動によって引き起こされる振動体１の変形量が、振動体１の振動によって引き起こされるエッジ部４の変形量よりも小さくなるように構成される。
本発明において、振動体１を谷部６の深さ方向（ｚ方向）に振動可能に支持する支持部３５は、この実施形態では、支持枠３とエッジ部４によって構成されている。
なお、エッジ部４は、一対の湾曲板１１の横方向の外周縁部、つまり、湾曲板１１の接合部１３が設けられた端部と反対の端部の縁部（湾曲板１１のエッジ部４への接続端ともいう）にエッジ部４の一端が固定され、支持枠３にエッジ部４の他端が固定されている。従って、一対の湾曲板１１の外周縁部は、エッジ部４が変形することにより、支持枠３に対して上下方向に相対的に振動することができる。従って、エッジ部４は、振動体１の全体が上下方向へ振動することを許容しつつ、振動体１を支持している。
【００２５】
この支持枠３に振動体１を取り付けた状態において、凸面５は、図８に示すように、凸面５の湾曲方向に沿って最も外側の先端どうしを結ぶ線（図示例では、湾曲板１１の接合部１３とは反対側の側部の先端とコーン部８との接続点における接線となる）を境界線Ｈとするとき、先端から谷部６に向かうにしたがって境界線Ｈから漸次離間する方向に湾曲する。
前述したように、凸面５は、単一円弧面だけでなく、複数の曲率を連続させたもの、断面が放物線形状やスプライン曲線など曲率が一定ないし連続的に変化するもの、角筒状面としたもの、階段状に複数の段差部を有する形状としたものなどを採用することができるが、その先端どうしを結ぶ境界線Ｈを超えない形状の凸面とするのが好ましい。
なお、図１及び図２において符号３３は、ボイスコイル２０を外部に接続するための端子を示している。
【００２６】
このように構成されたスピーカは、振動体１に固定されたアクチュエータ２のボイスコイル２０に音声信号に応じた駆動電流が流れると、その駆動電流によって生じる磁束変化と、磁気ギャップ２６内の磁界とにより、ボイスコイル２０に駆動電流に応じた駆動力が作用し、磁界と直交する方向（ボイスコイル２０の軸方向、図４では矢印で示す上下方向）にボイスコイル２０を振動させる。これにより、このボイスコイル２０に接続されている振動体１が、谷部６の深さ方向に沿って振動し、表面から再生音が放射される。
【００２７】
この場合、振動体１は、その高さ方向の大部分を構成するように配置された翼状部７と、その上端部の限られた範囲に配置されたコーン部８とからなっており、その大部分を構成する翼状部７の凸面５から放射される再生音が支配的になる。
このため、リッフェル型スピーカに用いられている振動板と同様に、凸面５の周方向に沿う横方向への音の指向性が広く、縦方向には狭いという特性を有する。また、リッフェル型スピーカに用いられている振動板と同様に中高音域で広い指向性を有している。
しかも、振動体１は、コーン部８の外周縁部がエッジ部４により支持枠３に往復振動が可能なように支持されているので、接合部１３から外周縁部までの全体がアクチュエータ２によって一様に振動し、いわゆるピストンモーションによる振動が生じる。このため、ダイナミックスピーカと同様に、低音域においても高い音圧を有する。この場合、谷部６の両端が開放状態であると、振動体１により放射された音波の一部が、その開放された空間を通って湾曲板１１の裏面側に抜けていくが、コーン部８により谷部６の両端が塞がれた状態となっているので、音波の湾曲板１１の裏面側への抜けを防止し、振動体１の前面の全体から効率的に放音することができる。
【００２８】
したがって、１本のスピーカユニットにより低音域から中高音域までの可聴帯域の全域で広い指向性で再生可能なフルレンジスピーカユニットを実現することができる。このスピーカを振動体１の谷部６を連続させるように縦列に複数並べることにより、ラインアレイスピーカシステムを構築することができ、理想的な線音源による音空間を提供することができる。
また、この実施形態では、振動体１の外周縁部が円錐面状のコーン部８により形成されているので、エッジ部４を円形リング状の単純形状とすることができる。さらに、アクチュエータ２のボイスコイル２０も円筒状に形成して、その上端部と振動体１とを固着したので、このアクチュエータ２としても、通常のダイナミックスピーカに用いられているものを適用することができ、したがって、エッジ部４、支持枠３、アクチュエータ２等として、通常のコーン状振動板を有するダイナミックスピーカと共通の部品を適用することができ、安価に製造することができる。
【００２９】
なお、翼状部７は、１枚のフィルムから一体成形した例を示したが、２枚の湾曲板の一側部どうしを接着して形成してもよく、また、湾曲板１１の接合部１３は、実施形態のようにフィルムを断面Ｕ字状に折り返して形成した形態以外にも、フィルムをＶ字状に折り返して形成した形態でもよいし、２枚の湾曲板１１の一側部どうしを所定幅で接着して帯板状に形成した形態、湾曲板とは別の帯板状の補強板あるいは補強ワイヤ等の補強部材を接合部に沿って固着して接合部を直線状に補強した形態等としてもよい。
いずれの形態の場合も、凸面５は、両湾曲板１１の接合部１３とは反対側の側部の先端どうしを結ぶ境界線Ｈを超えない凸面とするのが好ましい。
【００３０】
図９〜図１４は、他の実施形態に用いられる振動体を示している。これらの実施形態において、振動体以外の構成要素（アクチュエータ、支持体、エッジ部）は第１実施形態と同じものが用いられるので、図示を省略し、また、各図において、第１実施形態と共通要素には同一符号を付して説明を簡略化する。
【００３１】
図９〜図１２に示す第２実施形態における振動体４１は、図９に分解して示したように、翼状部４２とコーン部４３とが別々に製作され、コーン部４３の表面に翼状部４２が貼り付けられた構成である。この場合、翼状部４２は、第１実施形態のものと同様、凸面５に沿って湾曲形成された一対の湾曲板１１により構成されており、両湾曲板１１の谷部６を形成している側部どうしが接合されている。
コーン部４３は、円錐面状に形成され、その大径側端部４３ａと小径側端部４３ｂとを除く中央部分に翼状部４２が接着されており、この翼状部４２が貼り付けられる領域には複数の貫通孔４４が形成されている。そして、コーン部４３の貫通孔４４が形成された領域を覆うように翼状部４２がコーン部４３の表面に接着されている。したがって、コーン部４３と翼状部４２との間には図１２に示すように空洞部４５が形成されており、その空洞部４５は貫通孔４４によりコーン部４３の裏側に開口している。
【００３２】
なお、翼状部４２の両湾曲板１１の接合部１３とは反対側の側部は、凸面５の長さ方向に沿う屈曲部４６を介して屈曲状態とされており、この屈曲部４６により側部の剛性が付与されている。
この場合、凸面５は、両凸面５の屈曲部４６の頂点を通る線を境界線Ｘとするとき、境界線Ｘを超える凸面とならないように、屈曲部４６の頂点から谷部６に向かうにしたがって境界線Ｘから漸次離間する方向に湾曲している。
また、第１実施形態の翼状部７においては、図８に示すように各湾曲板１１の接合部１３における接線Ｌ１，Ｌ２が平行に１本ずつ形成されたが、第２実施形態の翼状部４２においては、図１２に示すように、両湾曲板１１の側部どうしが接着されていることにより、接合部１３における接線が両湾曲板１１で一致し、１本の接線Ｌとなっている。
【００３３】
このように構成される振動体４１は、図１２に示すように、湾曲板１１の接合部１３はコーン部４３の小径側端部４３ｂの下端から突出することなく、その上方位置に配置されており、振動体４１としての下端部はコーン部４３の小径側端部４３ｂによって形成されている。したがって、アクチュエータのボイスコイル２０は、コーン部４３の小径側端部４３ｂから離間した状態とされ、湾曲板１１の接合部１３に固着される。このように、ボイスコイル２０は、コーン部４３の大径側端部４３ａの側ではなく、小径側端部４３ｂの側に配置され、接合部１３を駆動するように構成されている。
【００３４】
この振動体４１を備えたスピーカは、アクチュエータによって翼状部４２の谷部６の深さ方向に駆動されることにより、振動体４１全体にピストンモーションによる振動が生じて、翼状部４２の凸面５から音が放射される。このとき、コーン部４３と翼状部４２との間に形成されている空洞部４５が密閉空間であると空洞共鳴の原因となるおそれがあるとともに、２枚の振動板が重なって存在することにより音の干渉が生じるおそれがあるが、本実施形態の振動体４１においては、貫通孔４４により空洞部４５が開放空間とされるとともに、コーン部４３の翼状部４２と重なっている部分の面積を貫通孔４４により小さくして、振動板としての機能を低下させている。
したがって、翼状部４２の背面側のコーン部４３に影響されることなく、凸面５から有効に再生音を放射することができる。
なお、貫通孔４４は、コーン部４３が翼状部４２を支持し得る程度の強度を有する範囲内で１個又は複数個形成することができる。
【００３５】
また、この第２実施形態の振動体では、翼状部４２がコーン部４３に重なる部分に、内部の空洞部４５をコーン部４３の裏側に開口する貫通孔４４を形成したが、本発明においては、貫通孔４４を有さないものも含むものとする。図１３は、そのような振動体として第３実施形態における振動体を分解して示した斜視図であり、この振動体４７は、貫通孔を有しないコーン部４８の大径側端部４８ａと小径側端部４８ｂとの間の表面に、第２実施形態の翼状部と同様の翼状部４２が貼り付けられている。
【００３６】
図１４及び図１５は第４実施形態における振動体を示している。この振動体５１は、第２実施形態のものと同様に翼状部５２とコーン部５３とが別々に製作され、コーン部５３の大径側端部５３ａと小径側端部５３ｂとの間に翼状部５２が貼り付けられた構成とされている。そして、この実施形態においては、コーン部５３に、翼状部５２における谷部６を形成している接合部１３の両端部を配置させる切欠部５４が形成され、その切欠部５４内に接合部１３の両端部を収容した状態で、翼状部５２がコーン部５３に貼り付けられている。
この場合、切欠部５４は、図１４に示すように、コーン部５３の一部にＶ字状の切り込みを入れて三角形状の舌片５４ａを形成し、この舌片５４ａを上方から下方へ押し込むことにより、形成されている。したがって、図１５に示すように、翼状部５２の谷部６の両端が舌片５４ａによって閉塞された状態となり、音波のコーン部５３の裏側への抜けが防止され、振動体５１の前面の全面から放音することができる。
【００３７】
翼状部５２の接合部１３は、２枚の湾曲板１１を接合して構成され、直線状に延びており、また、翼状部５２の両端部は、接合部１３を頂点として徐々に広がるほぼ三角形状をなしている。したがって、第２実施形態のように円錐面状のコーン部の表面に貼り付ける場合は、コーン部の円錐面に対応させるように、翼状部を接合部に向かうにしたがって徐々に小さく形成する必要があるため、接合部の長さが短くなるが、本実施形態のように、コーン部５３に切欠部５４を形成して、その切欠部５４に接合部１３の両端部を配置することにより、接合部１３を長い状態のままコーン部５３に貼り付けることが可能になり、円錐面状のコーン部５３を用いた振動体でありながら、凸面５を広い面積で確保することができる。
なお、第４実施形態では、コーン部５３に貫通孔は設けられていないが、第２実施形態の場合と同様に、コーン部５３の翼状部５２と重なる部分に貫通孔を設けてもよい。
【００３８】
図１６及び図１７は第５実施形態のスピーカを示している。これらの図においても、第１実施形態と共通要素には同一符号を付して説明を簡略化する。
この第５実施形態のスピーカは、振動体６１としては、翼状部６２が、円錐面状のコーン部６３の大径側端部６３ａと小径側端部６３ｂとの間に貼り付けられた構成とされており、振動体６１の下端部に配置される小径側端部６３ｂ内にボイスコイル６４が、小径側端部６３ｂから離間して配置されるとともに、このボイスコイル６４の上端部に、これを二つ割り状に分岐させるように溝６５が直径方向に沿って形成され、その溝６５内に、翼状部６２の接合部１３を食い込ませた状態に固定している。二つ割り状に分岐したボイスコイル６４の上端は、翼状部６２の両湾曲板１１の裏面に緊密接触するように曲線状に成形され、湾曲板１１の裏面に接着されている。このように、ボイスコイル６４は、コーン部６３の大径側端部６３ａの側ではなく、小径側端部６３ｂの側に配置 され、接合部１３及び両湾曲板１１の裏面を駆動するように構成されている。
なお、この翼状部６２は、図１６に示すように、両湾曲板１１の接合部１３における接線は一致し、１本の接線Ｌとなっている。
また、第５実施形態のボイスコイル６４は、両湾曲板１１の裏面に接着され、両湾曲板１１の裏面及び接合部１３に接触するように構成されていたが、ボイスコイル６４を、両湾曲板１１の裏面に接着させて両湾曲板１１の裏面に接触させるとともに、ボイスコイル６４を翼状部６２の接合部１３から離間させることとしても良い。
【００３９】
このように構成することにより、振動体６１の翼状部６２が強固にボイスコイル６４に接着され、したがって、アクチュエータ２の駆動力を確実に翼状部６２に伝達することができる。また、翼状部６２における両湾曲板１１の裏面にボイスコイル６４の上端が接着されていることから、湾曲板１１の湾曲形状がボイスコイル６４により補強された状態となり、ピストンモーションを翼状部６２に確実に伝達することができる。
【００４０】
なお、本発明は、上記実施形態に限定されるものではなく、本発明の趣旨を逸脱しない範囲において種々の変更を加えることが可能である。
例えば、各実施形態において、コーン部は円錐面状に形成し、エッジ部を円形のリング状に形成したが、コーン部を翼状部の長さ方向に沿って長い楕円錐面状に形成し、エッジ部も楕円形のリング状に形成してもよい。また、コーン部は、一般的なダイナミックスピーカとして用いられる振動板であれば、円錐面状や楕円錘面状以外の形状でもよく、 正面視で丸型や角型、あるいは角型に丸型を組み合わせた形状 でもよく、全体として錐形状に形成されていればよい。翼状部の形状も、上記コーン部の形状に合わせて、適宜変更される。
また、振動体の裏面に補強用のリブやブロック等を固着してもよい。振動体の放射面に対しては、凸面に横方向に沿って板状又は棒状のリブを設けることが可能である。このスピーカは、前述したように、凸面を再生音の放射面としているので、その凸面の周方向に沿う横方向への指向性は広いが、縦方向には狭いという特性を有しており、このため、凸面の放射面に横方向に沿って板状又は棒状のリブを設けたとしても、音響的な影響は少ない。
また、上記実施形態では、いずれも一対の湾曲板により翼状部を構成したが、さらに一対の湾曲板を加えて、一対の湾曲板の接合部の両端に、さらに湾曲板を直角に配置する構成としてもよい。
さらに、振動体を往復駆動する変換部として、ボイスコイルモータを適用したが、ボイスコイルモータに代えて、圧電素子等を用いてもよい。
また、上記実施形態ではいずれも本発明をスピーカに適用したが、本発明をマイクロホンに適用することも可能である。本発明をスピーカに適用する場合は、ボイスコイルモータ等の変換部が、音声信号に基づく電気信号を振動体の振動に変換するが、本発明をマイクロホンに適用する場合も、変換部としてボイスコイルモータ等を用いることができ、その場合の変換部は、音波を受けて振動する振動体の振動を電気信号に変換する。そして、本発明を適用したマイクロホンは、凸面が振動面であり、その振動体の全体が一様に振動することにより、感度を維持しながら指向性が良好となり、低音域から高音域まで広い周波数帯域に亘って広い指向性で収音することができる。
【符号の説明】
【００４１】
１…振動体、２…アクチュエータ（変換部）、３…支持枠、４…エッジ部、５…凸面、６…谷部、１１…湾曲板、１３…接合部、１５…補強板、１６…接合部、２０…ボイスコイル、２１…磁石機構、２２…ダンパー、２３…磁石、２４…アウターヨーク、２５…インナーヨーク、２５ａ…ポール部、２６…磁気ギャップ、３０…フランジ部、３１…アーム部、３２…環状フレーム部、３３…端子、４１…振動体、４２…翼状部、４３…コーン部、４３ａ…大径側端部、４３ｂ…小径側端部、４４…貫通孔、４５…空洞部、４６…屈曲部、４７…振動体、４８…コーン部、４８ａ…大径側端部、４８ｂ…小径側端部、５１…振動体、５２…翼状部、５３…コーン部、５３ａ…大径側端部、５３ｂ…小径側端部、５４…切欠部、６１…振動体、６２…翼状部、６３…コーン部。６３ａ…大径側端部、６３ｂ…小径側端部、６４…ボイスコイル、６５…溝
【図１】
0006048470.tif 000002
【図２】
0006048470.tif 000003
【図３】
0006048470.tif 000004
【図４】
0006048470.tif 000005
【図５】
0006048470.tif 000006
【図６】
0006048470.tif 000007
【図７】
0006048470.tif 000008
【図８】
0006048470.tif 000009
【図９】
0006048470.tif 000010
【図１０】
0006048470.tif 000011
【図１１】
0006048470.tif 000012
【図１２】
0006048470.tif 000013
【図１３】
0006048470.tif 000014
【図１４】
0006048470.tif 000015
【図１５】
0006048470.tif 000016
【図１６】
0006048470.tif 000017
【図１７】
0006048470.tif 000018